(57)【要約】【課題】製造の容易な簡単な構成によって樹脂ブロックの抜けとがたつきを同時に防止できるようにして、製造コストの低減を図ることのできる樹脂ブロックの係止部構造を提供する。【解決手段】光軸調整軸３の係合孔７に挿入される係止脚部９を操作ノブ４に突設する。係止脚部９の先端側には、係合孔７から突出して係合孔７の他端側の縁部に面で当接する抜け止め突起１０を設ける。係止脚部９の基部側の側壁には、径方向内側に撓み変形可能なカム片１２を設ける。カム片１２には、挿入方向に対して傾斜し、係止脚部９の先端部が係合孔７に挿入されるときに係合孔７の一端部に当接して反力を受けるテーパ面１３ａを設ける。【選択図】図４
2012154366.tif 000002
【特許請求の範囲】
【請求項１】
樹脂ブロック本体から突出して、係止相手部材の係合孔に挿入される係止脚部を備え、
この係止脚部の先端部に、前記係合孔の一端側から挿入されて他端側に突出したときに、当該係止脚部の弾性による形状復帰によって前記係合孔の他端側の縁部に面で当接する抜け止め突起が設けられている樹脂ブロックの係止部構造において、
前記係止脚部の基部側の側壁の一部に、前記係合孔に対する挿入方向と交差する方向に撓み変形可能なカム片が設けられ、
このカム片には、前記挿入方向に対して傾斜し、前記係止脚部の先端部が前記係合孔に挿入されるときに前記係合孔の一端部に当接するテーパ面が設けられていることを特徴とする樹脂ブロックの係止部構造。
【請求項２】
前記カム片は、前記係止脚部の挿入方向で前記抜け止め突起と対向する部位に設けられていることを特徴とする請求項１に記載の樹脂ブロックの係止部構造。
【請求項３】
前記係止脚部は前記樹脂ブロック本体に複数設けられ、その複数の係止脚部は一の軸線回りに環状に配置され、
前記カム片は、前記環状に配置された複数の係止脚部に前記軸線回りの円周を均等に分割する位置となるように複数設けられていることを特徴とする請求項１または２に記載の樹脂ブロックの係止部構造。
【発明の詳細な説明】
【技術分野】
【０００１】
この発明は、係止相手部材に簡単に装着できる樹脂ブロックの係止部構造に関するものである。
【背景技術】
【０００２】
車両用のフォグランプ等においては、本体部品である光軸調整軸に樹脂ブロックである操作ノブが別に取り付けられることがある。この場合、操作ノブには、光軸調整軸に対して容易に取付けることができ、しかも、一度取付けた後には簡単に抜けることのない係止部構造が採用されている。
【０００３】
この種の樹脂ブロックの係止部構造としては、樹脂ブロック本体から突出して係止相手部材の係合孔に挿入される係止脚部が設けられるとともに、係止脚部の先端部側に、係止相手部材の係止孔から突出したときに、係止孔の端縁に当接する抜け止め突起が設けられたものが多用されている。抜け止め突起の先端部側には、係止孔に挿入されるときに係止脚部を係止孔の内側方向に撓ませるためのテーパ面が設けられ、樹脂ブロックの装着時に抜け止め突起が係合孔から逆側に突出したときに、係止脚部の弾性による形状復帰によって抜け止め突起が係合孔の端縁に面で当接するようになっている。
【０００４】
また、さらにこのような樹脂ブロックの係止部構造において、樹脂ブロックの装着後のがたつきを防止するための構造を追加したものが案出されている（例えば、特許文献１参照）。
特許文献１に記載の係止部構造は、樹脂ブロック本体の係止脚部の突出する側の面に、係止脚部の付根部側を取囲むように斜め外側に張り出す薄肉の傾斜フランジが突設され、樹脂ブロックの装着時には、傾斜フランジの外縁部が係止相手部材の裏面に弾性接触するようになっている。これにより、係止脚部の抜け止め突起は、樹脂ブロックの装着後に、常時傾斜フランジの付勢力を受けて係止相手部材の係合孔の縁部に押し当てられる。
【先行技術文献】
【特許文献】
【０００５】
【特許文献１】特開平８−２００３１７号公報
【発明の概要】
【発明が解決しようとする課題】
【０００６】
しかし、この従来の係止部構造は、樹脂ブロック本体の係止脚部の突出する側の面に、係止脚部の付根部側を取囲むように斜め外側に張り出す薄肉の傾斜フランジが突設された構造とされているため、薄肉で大型の傾斜フランジを樹脂ブロック本体や係止脚部等とともに一体に型成形することが難しく、製造コストが嵩むことが懸念される。
【０００７】
そこでこの発明は、製造の容易な簡単な構成によって樹脂ブロックの抜けとがたつきを同時に防止できるようにして、製造コストの低減を図ることのできる樹脂ブロックの係止部構造を提供しようとするものである。
【課題を解決するための手段】
【０００８】
この発明に係る樹脂ブロックの係止部構造では、上記課題を解決するために以下の手段を採用した。
請求項１に係る発明は、樹脂ブロック本体（例えば、実施形態のノブ本体８）から突出して、係止相手部材（例えば、実施形態の光軸調整軸３）の係合孔（例えば、実施形態の係合孔７）に挿入される係止脚部（例えば、実施形態の係止脚部９）を備え、この係止脚部の先端部に、前記係合孔の一端側から挿入されて他端側に突出したときに、当該係止脚部の弾性による形状復帰によって前記係合孔の他端側の縁部に面で当接する抜け止め突起（例えば、実施形態の抜け止め突起１０）が設けられている樹脂ブロックの係止部構造において、前記係止脚部の基部側の側壁の一部に、前記係合孔に対する挿入方向と交差する方向に撓み変形可能なカム片（例えば、実施形態のカム片１２）が設けられ、このカム片には、前記挿入方向に対して傾斜し、前記係止脚部の先端部が前記係合孔に挿入されるときに前記係合孔の一端部に当接するテーパ面（例えば、実施形態のテーパ面１３ａ）が設けられていることを特徴とするものである。
これにより、係止脚部の先端部を係止相手部材の係合孔に挿入すると、係止脚部の先端側の抜け止め突起が係合孔の他端側に突出して、係合孔の他端側の縁部に面で当接するとともに、係止脚部のカム片がテーパ面で係合孔の一端部に当接する。このとき、テーパ面が係合孔の一端部に当接すると、カム片は係合孔の一端部に押圧されて係合孔に対する挿入方向と交差する方向に撓み変形しつつ、抜け止め突起を係合孔の他端側の縁部に押し当てる方向の反力を係止相手部材から受けることになる。
【０００９】
請求項２に係る発明は、請求項１に記載の樹脂ブロックの係止部構造において、前記カム片は、前記係止脚部の挿入方向で前記抜け止め突起と対向する部位に設けられていることを特徴とするものである。
【００１０】
請求項３に係る発明は、請求項１または２に記載の樹脂ブロックの係止部構造において、前記係止脚部は前記樹脂ブロック本体に複数設けられ、その複数の係止脚部は一の軸線回りに環状に配置され、前記カム片は、前記環状に配置された複数の係止脚部に前記軸線回りの円周を均等に分割する位置となるように複数設けられていることを特徴とするものである。
【発明の効果】
【００１１】
請求項１に係る発明によれば、係止脚部の先端部側に抜け止め突起が設けられるとともに、係止脚部の基部側の側壁の一部に、挿入方向と交差する方向に撓み変形可能なカム片が設けられ、このカム片に、挿入方向に対して傾斜し、係止脚部の先端部が係合孔に挿入されるときに係合孔の一端部に当接するテーパ面が設けられているため、樹脂ブロック本体から突出する係止脚部に抜け止め突起とカム片を一体に形成した簡単な構造により、樹脂ブロックの抜け防止とがたつき防止を同時に図ることができる。したがって、この発明によれば、樹脂ブロックを比較的簡単な成形装置によって容易に形成することができることから、製造コストの低減を図ることができる。
【００１２】
請求項２に係る発明によれば、樹脂ブロックのがたつき防止を図るためのカム片が、係止脚部の挿入方向で抜け止め突起と対向する部位に設けられていることから、カム片と抜け止め突起で挿入方向に沿う方向で係止相手部材を安定的に挟持することができる。
【００１３】
請求項３に係る発明によれば、カム片が、環状に配置された複数の係止脚部に軸線回りの円周を均等に分割する位置となるように複数設けられているため、カム片による付勢力を軸線回りにバランス良く作用させ、樹脂ブロックを係止相手部材に対してより安定的に係止させることができる。
【図面の簡単な説明】
【００１４】
【図１】この発明の一実施形態を示す斜視図である。
【図２】この発明の一実施形態の樹脂ブロックの斜視図である。
【図３】この発明の一実施形態の樹脂ブロックの図２のＡ視に対応する正面図である。
【図４】この発明の一実施形態の樹脂ブロックの図３のＢ−Ｂ断面に対応する断面図であり、樹脂ブロックの係止前の状態（Ａ）と係止後の状態（Ｂ）を併せて記載した図である。
【発明を実施するための形態】
【００１５】
以下、この発明の一実施形態を図面に基づいて説明する。
図１は、車両用フォグランプのランプユニット１を背面側から見た斜視図であり、同図中２は、図示しないランプバルブを内蔵するランプブロック、３は、ランプバルブの光軸を調整するための光軸調整軸、４は、光軸調整軸３に連結され、光軸調整時に作業者が手で把持する操作ノブである。光軸調整軸３と操作ノブ４はいずれも樹脂材料によって形成されており、操作ノブ４は樹脂ブロックを構成し、光軸調整軸３は樹脂ブロックが係止される係止相手部材を構成している。なお、図１中５は、ランプブロック２の前面に配置されてランプバルブの照射光を透過させるカバープレートであり、６は、ランプブロック２の背面に配置されて電気系統が接続される接続ソケットである。
【００１６】
光軸調整軸３は、略円柱状に形成され、軸方向に貫通する４つの円弧状の係合孔７…が円周方向等間隔に設けられている。４つの係合孔７…は光軸調整軸３の中心軸線の回りに均等に配置されている。
【００１７】
図２，図３は、操作ノブ４の詳細を示す斜視図と正面図であり、図４は、操作ノブ４と光軸調整軸３の係合状態を示す断面図である。
操作ノブ４は、ノブ本体８（樹脂ブロック本体）が短軸の略円柱状に形成され、ノブ本体８の一方の端面には、光軸調整軸３の係合孔７…に挿入される４つ係止脚部９…が突設されている。各係止脚部９は、係合孔７に対応して断面が略円弧状に形成されるとともに、ノブ本体８の中心軸線ｏの回りに均等に配置されている。また、各係止脚部９の中心軸線ｏ回りの円弧幅は、光軸調整軸３の係合孔７の円弧幅とほぼ同幅に形成されている。
以下、係止脚部９に関して、中心軸線ｏ側を径方向内側と呼び、中心軸線ｏと逆側を径方向外側と呼ぶものとする。また、説明の都合上、操作ノブ４のうちの係止脚部９の位置される側を「上」と呼び、ノブ本体８の位置される側を「下」と呼ぶものとする。
【００１８】
各係止脚部９の先端部には、径方向外側に張り出す抜け止め突起１０が設けられている。抜け止め突起１０は、上面側に径方向外側に向かって下方傾斜するテーパ面１０ａが設けられるとともに、下面側に係止脚部９の外側一般面に対して略直角を成す押さえ面１０ｂが設けられている。各係止脚部９は、図４（Ａ）に示すように、光軸調整軸３の対応する係合孔７に挿入される前の初期状態においては、先端部側が径方向外側に若干傾斜している。
【００１９】
また、係止脚部９…のうちの対角位置にある２つの係止脚部９，９の基部側の側壁には、上方側に開口する略コ字状の切欠き部１１が設けられるとともに、その切欠き部１１の内側にカム片１２が設けられている。カム片１２は、係止脚部９の側壁に切欠き部１１のない領域で片持ちで支持され、径方向内側に撓み変形可能とされている。また、カム片１２は、下縁部側に径方向外側に漸次膨出する肉厚漸増部１３が設けられ、その肉厚漸増部１３の上面側に径方向外側に向かって下方傾斜するテーパ面１３ａが形成されている。カム片１２の肉厚漸増部１３（テーパ面１３ａ）は、係止脚部９の挿入方向で抜け止め突起１０の押さえ面１０ｂと対応するように設けられている。
【００２０】
この実施形態の操作ノブ４の場合、カム片１２を有する係止脚部９，９の付根部には、係止脚部９，９の一般部の断面よりも一回り大きく、光軸調整軸３の係合孔７に挿入されない台座部１４が設けられている。上記の切欠き部１１とカム片１２の肉厚漸増部１３は、この台座部１４にある領域に一部が入り込むように形成されている。
【００２１】
以上の構成において、操作ノブ４を光軸調整軸３の端部に取り付ける場合には、図４（Ａ）に示すように、操作ノブ４の係止脚部９…を光軸調整軸３側の係合孔７…の位置と合致させ、そのまま係止脚部９…を光軸調整軸３側の係合孔７…に挿入する。このとき、係止脚部９が対応する係合孔７に挿入されると、抜け止め突起１０のテーパ面１０ａが係合孔７の内面にガイドされ、係止脚部９全体が径方向内側に撓み変形する。この状態でさらに係止脚部９が係合孔７に挿入されると、図４（Ｂ）に示すように、各係止脚部９の抜け止め突起１０が対応する係合孔７の他端側に突出し、係止脚部９の弾性復帰によって抜け止め突起１０が径方向外側に張り出して、抜け止め突起１０の押さえ面１０ｂが係合孔７の他端側の端縁に面で当接することになる。これにより、各係止脚部９の抜けが規制される。
【００２２】
また、このときカム片１２を有する２つの係止脚部９，９は、係合孔７に対する係止脚部９の挿入に伴ってカム片１２のテーパ面１３ａが係合孔７の一端部によって押圧され、カム片１２が径方向内側方向に撓み変形しつつ、抜け止め突起１０の押さえ面１０ｂを係合孔７の他端側の端縁に押し当てる方向の反力を光軸調整軸３から受けることになる。したがって、操作ノブ４の軸方向のがたつきはこのときの反力によって抑制される。
【００２３】
以上のように、この実施形態の操作ノブ４の係止部構造においては、操作ノブ４の係止脚部９の先端側に抜け止め突起１０が設けられるとともに、基部側の側壁の一部に径方向内側に撓み変形可能なカム片１２が設けられ、そのカム片１２に、係止脚部９が光軸調整軸３の係合孔７に挿入されるときに、係合孔７の一端部に押圧されて反力を受けるテーパ面１３ａが設けられているため、ノブ本体８から突出する係止脚部９に抜け止め突起１０とカム片１２が一体に設けられた簡単な構造でありながら、操作ノブ４の抜け防止とがたつき防止を同時に図ることができる。
したがって、上記のような機能を備えながらも操作ノブ４を比較的簡単な成形装置によって容易に形成することができ、製造コストの低減を図ることができる。また、製品の大型化にも容易に対応することができる。
【００２４】
また、この実施形態の係止部構造では、操作ノブ４のがたつきを防止するためのカム片１２が、係止脚部９の挿入方向で抜け止め突起１０と対向するように設けられているため、カム片１２とそれに対向する抜け止め突起１０によって光軸調整軸３の係合孔７の縁部を上下から安定的に挟持固定することができる。
【００２５】
さらに、この実施形態の係止部構造の場合、操作ノブ４のがたつきを防止するためのカム片１２が中心軸線ｏ回りの円周を均等に二分する２位置に設けられているため、複数のカム片１２の反力を中心軸線ｏ回りにバランス良く作用させることができる。したがって、操作ノブ４を光軸調整軸３に対してより安定的に係止させることができる。
【００２６】
なお、この発明は上記の実施形態に限定されるものではなく、その要旨を逸脱しない範囲で種々の設計変更が可能である。例えば、上記の実施形態においては、操作ノブのがたつきを防止するためのカム片を中心軸回りに二つ設けたが、カム片を設ける個数は一つ以上であれば任意である。ただし、カム片を３つ以上設ける場合には、中心軸回りの円周を均等に分割する位置にカム片を配置することにより、係止の安定化を図ることができる。
【符号の説明】
【００２７】
３…光軸調整軸（係止相手部材）
４…操作ノブ（樹脂ブロック）
７…係合孔
８…ノブ本体（樹脂ブロック本体）
９…係止脚部
１０…抜け止め突起
１２…カム片
１３ａ…テーパ面
【図１】
2012154366.tif 000003
【図２】
2012154366.tif 000004
【図３】
2012154366.tif 000005
【図４】
2012154366.tif 000006